(57)【特許請求の範囲】
【請求項１】
複数本の棒状の乾麺を収容すると共に上端に袋部材が封止され且つ直線状に延びるシール部を有する乾麺用包装袋において、
上端隅部に位置する前記シール部の端部から前記包装袋の下端に向かって直線状に延びる側端を有し、
前記上端隅部を囲むように、直線状に延びる前記シール部の中間部分に位置する第１の点と前記包装袋の前記側端上に位置する第２の点を結ぶ円弧状の曲線のみからなる開封切り取り線が前記袋部材に表示され、
前記開封切り取り線に沿って前記袋部材を切断することにより所定量の乾麺を束として取り出すための前記シール部の中間部分から前記側端に至る円弧状の曲線のみからなる取り出し口が形成され、前記取り出し口を下方に向けたときに、乾麺が重力により束となって前記取り出し口から流出し、前記取り出し口の周縁が前記取り出し口から流出する乾麺の束の外周部に対して斜めに弧を描くように接触することを特徴とする乾麺用包装袋。
【請求項２】
前記上端隅部から前記第１の点までの長さは、前記上端隅部から前記第２の点までの長さの２．０〜２．５倍である請求項１に記載の乾麺用包装袋。
【発明の詳細な説明】
【技術分野】
【０００１】
この発明は、乾麺用包装袋に係り、特に、複数本の棒状乾麺を収納する包装袋に関する。
【背景技術】
【０００２】
従来から、パスタ等の棒状乾麺は、包装袋の内部に密封された状態で流通されることが多く、使用時には、包装袋の端部をハサミ等で切り込んで包装袋を開封することにより、内部の乾麺が取り出される。
このとき、包装袋に収容されている乾麺の一部のみを取り出して調理する場合には、調理に適した分量の乾麺を取り出すことが要求されるが、包装袋の端部の切り込みに応じて形成された取り出し口が大きすぎると、一度に多量の乾麺が包装袋から出てしまい、逆に、取り出し口が小さすぎると、取り出しの操作を何回も繰り返さないと、所望の分量の乾麺を取り出すことができない。
【０００３】
また、秤、専用のパスタ計量器等を用いて乾麺の分量を計測するのでは、調理するまでに手間と時間を要してしまう。
そこで、例えば特許文献１には、包装袋の端部を切り込むことで形成された取り出し口をそのまま計量口として使用するようにした包装袋が提案されている。
【先行技術文献】
【特許文献】
【０００４】
【特許文献１】実用新案登録第３０８３１０７号公報
【発明の概要】
【発明が解決しようとする課題】
【０００５】
特許文献１の包装袋では、図７に示されるような形状の開封切り取り線１１が印刷表示されており、この開封切り取り線１１に沿って包装袋を切断することで、一定量の乾麺を取り出すのに適した取り出し口が形成される。開封切り取り線１１は、円の１／４の円弧部分１１ａの端部にその円弧部分１１ａと同じ長さの直線部分１１ｂが接線方向に接続された形状を有している。
しかしながら、このような形状の開封切り取り線１１に沿って切断することにより取り出し口を形成した包装袋から実際に乾麺を取り出してみると、取り出される乾麺の分量に大きなばらつきが生じると共に、乾麺が取り出し口で引っ掛かってスムーズに出にくく、使用感が良くないという問題があった。
【０００６】
この発明は、このような従来の問題点を解消するためになされたもので、開封切り取り線に沿って切断することで、所定量の乾麺を精度よく且つスムーズに取り出すことができる乾麺用包装袋を提供することを目的とする。
【課題を解決するための手段】
【０００７】
この発明に係る乾麺用包装袋は、複数本の棒状の乾麺を収容すると共に上端に袋部材が封止され且つ直線状に延びるシール部を有する乾麺用包装袋において、上端隅部に位置するシール部の端部から包装袋の下端に向かって直線状に延びる側端を有し、上端隅部を囲むように、直線状に延びるシール部の中間部分に位置する第１の点と包装袋の側端上に位置する第２の点を結ぶ円弧状の曲線のみからなる開封切り取り線が袋部材に表示され、開封切り取り線に沿って袋部材を切断することにより所定量の乾麺を束として取り出すためのシール部の中間部分から側端に至る円弧状の曲線のみからなる取り出し口が形成され、取り出し口を下方に向けたときに、乾麺が重力により束となって取り出し口から流出し、取り出し口の周縁が取り出し口から流出する乾麺の束の外周部に対して斜めに弧を描くように接触するものである。
なお、上端隅部から第１の点までの長さは、上端隅部から第２の点までの長さの２．０〜２．５倍とすることが好ましい。
【発明の効果】
【０００８】
この発明によれば、開封切り取り線が、包装袋の上端隅部を囲むようにシール部に沿った第１の点と包装袋の側端上に位置する第２の点を結ぶ円弧状の曲線のみからなるので、この開封切り取り線に沿って袋部材を切断することにより、所定量の乾麺を精度よく且つスムーズに取り出すことが可能となる。
【図面の簡単な説明】
【０００９】
【図１】この発明の実施の形態に係る乾麺用包装袋を示す図である。
【図２】図１のＡ−Ａ線断面図である。
【図３】乾麺用包装袋の開封切り取り線の近傍を示す部分拡大図である。
【図４】開封切り取り線に沿って袋部材が切断された状態の乾麺用包装袋を示す部分拡大図である。
【図５】乾麺用包装袋の取り出し口から所定量の乾麺を束として取り出す様子を示す斜視図である。
【図６】比較例に係る包装袋の開封切り取り線の近傍を示す図である。
【図７】従来の包装袋の開封切り取り線の近傍を示す図である。
【発明を実施するための形態】
【００１０】
以下、この発明の実施の形態を添付図面に基づいて説明する。
図１に、この発明の実施の形態に係る乾麺用包装袋１の構成を示す。乾麺用包装袋１は、シート状の袋部材２から形成されており、上端と下端がそれぞれシール部３により封止された筒形状を有している。このような構造により、乾麺用包装袋１の内部に乾麺の収容空間Ｓが形成され、図２に示されるように、多数本の棒状の乾麺Ｎが乾麺用包装袋１の収容空間Ｓ内に収容され、密封されている。
【００１１】
乾麺用包装袋１の上端部に、開封切り取り線４が表示されている。この開封切り取り線４は、乾麺用包装袋１を開封するためのガイドラインとなるもので、開封切り取り線４に沿って袋部材２をハサミ等で切断することにより、乾麺用包装袋１を開封すると共に乾麺用包装袋１から乾麺Ｎを取り出すための取り出し口が形成される。
【００１２】
開封切り取り線４は、図３に示されるように、乾麺用包装袋１の上端隅部Ｃを囲むように袋部材２の表面に表示されている。ここで、「上端隅部Ｃ」は、シール部３を除いた乾麺用包装袋１の上端の角部を意味するものとする。開封切り取り線４は、シール部３に沿って上端隅部Ｃから長さＬ１だけ離れて位置する第１の点Ｐ１と、乾麺用包装袋１の側端１ａ上で且つ上端隅部Ｃから長さＬ２だけ離れて位置する第２の点Ｐ２とを結ぶ円弧状の曲線のみからなっている。
上端隅部Ｃから第１の点Ｐ１までの長さＬ１は、上端隅部Ｃから第２の点Ｐ２までの長さＬ２の２．０〜２．５倍の値に設定されている。
【００１３】
この開封切り取り線４に沿ってハサミ等で袋部材２を切断することにより、乾麺用包装袋１は開封され、図４に示されるように、乾麺用包装袋１の上端の側部に円弧状の曲線からなる縁部を有した取り出し口５が形成される。取り出し口５は、乾麺用包装袋１の内部の収容空間Ｓに対して乾麺用包装袋１の外部に通じる開口窓となり、取り出し口５を介して乾麺用包装袋１から乾麺Ｎを取り出すことが可能となる。
【００１４】
図５に示されるように、乾麺用包装袋１を上下逆さにして取り出し口５を下方に向けると、収容空間Ｓに収容されていた棒状の乾麺Ｎが重力により下方へ移動し、取り出し口５の大きさに対応した本数の乾麺Ｎが束となって取り出し口５から乾麺用包装袋１の外部へ流出する。
このとき、乾麺用包装袋１のシール部３に沿った第１の点Ｐ１と側端１ａ上の第２の点Ｐ２を結ぶ円弧状の曲線のみからなる開封切り取り線４に合わせて袋部材２を切断することで取り出し口５を形成しているので、取り出し口５の周縁は取り出し口５から流出する乾麺Ｎの束の外周部に対して斜めに滑らかな弧を描くように接触することとなる。そして、取り出し口５の大きさにより決定される所定量の乾麺Ｎが取り出し口５の周縁に引っ掛かることなく取り出される。
【００１５】
実際に、この実施の形態に係る乾麺用包装袋１の開封切り取り線４に沿って切断することで形成された取り出し口５から乾麺Ｎを取り出してみたところ、取り出される乾麺Ｎの分量のばらつきが小さく、計量精度に優れていることが判明すると共に、取り出される乾麺Ｎの束のまとまりが良く、乾麺Ｎの出方がスムーズであることが確認された。
【００１６】
図７に示した特許文献１の包装袋では、開封切り取り線１１の直線部分１１ｂが包装袋の側端１２に対して直角に延びることから、乾麺を取り出す際に取り出し口の周縁が取り出し口から流出する乾麺の束に対してほぼ垂直に接触し、このため、取り出し口の周縁から大きな摩擦力を受けて引っ掛かりを生じたものと推察される。さらに、乾麺の引っ掛かりに起因して、取り出される乾麺の分量に大きなばらつきが発生したと考えられる。
また、比較例として、図６に示されるように、斜めに直線状に延びる開封切り取り線１３に沿って切断することで取り出し口を形成し、この取り出し口から乾麺を取り出してみた。開封切り取り線１３は、包装袋の側端１４に対して一定の角度で傾斜している。この場合、乾麺が取り出し口から流出する際に、シール部１５側の開封切り取り線１３の端部Ｑを中心として包装袋にシワが形成され、乾麺が取り出し口の周辺に引っ掛かる現象が多発した。その結果、計量精度が著しく低下することが確認された。
【００１７】
図７に示した特許文献１の包装袋および図６に示した比較例の包装袋に比べ、この実施の形態に係る乾麺用包装袋１では、取り出し口５の周縁が取り出し口５から流出する乾麺Ｎの束の外周部に対して滑らかな弧を描くように接触するので、取り出し口５の周縁と乾麺Ｎとの間の摩擦力が小さく、また、取り出し口５の周辺の袋部材２にシワが形成されにくく、所定量の乾麺Ｎが引っ掛かることなくスムーズに取り出される。さらに、このため、計量精度を向上させることが可能となる。
【００１８】
また、上端隅部Ｃから第２の点Ｐ２までの長さＬ２に対する上端隅部Ｃから第１の点Ｐ１までの長さＬ１の比率Ｒを種々変化させた開封切り取り線４を形成し、それぞれ開封切り取り線４に沿って切断することで形成された取り出し口５から乾麺Ｎを取り出してみたところ、比率Ｒ＝２．０〜２．５とした場合に、特に、計量精度に優れると共に乾麺Ｎのスムーズな取り出しが可能となることが確認された。
【００１９】
従って、上端隅部Ｃから第１の点Ｐ１までの長さＬ１を上端隅部Ｃから第２の点Ｐ２までの長さＬ２の２．０〜２．５倍の値に設定した上で、所望の取り出し分量となるような大きさの開封切り取り線４を表示することが望ましい。
例えば、曲率半径６２〜７２ｍｍを有する円弧で第１の点Ｐ１と第２の点Ｐ２の間を結ぶことができる。
【００２０】
上記の実施の形態では、開封切り取り線４に沿ってハサミ等で袋部材２を切断することにより取り出し口５を形成したが、開封切り取り線４をミシン目によって形成すれば、ハサミ等の切断具を用いることなく、使用者が手でミシン目に沿って袋部材２を切断することができ、簡便性を向上させることができる。
なお、この発明は、スパゲティ等のパスタの他、そば、うどん等の各種の棒状の乾麺に適用することができる。
【符号の説明】
【００２１】
１  乾麺用包装袋、２  袋部材、３  シール部、４  開封切り取り線、５  取り出し口、１ａ  乾麺用包装袋の側端、Ｎ  乾麺、Ｓ  収容空間、Ｃ  上端隅部、Ｐ１  第１の点、Ｐ２  第２の点、Ｌ１  上端隅部から第１の点までの長さ、Ｌ２  上端隅部から第２の点までの長さ。
【図１】
0005850762.tif 000002
【図２】
0005850762.tif 000003
【図３】
0005850762.tif 000004
【図４】
0005850762.tif 000005
【図５】
0005850762.tif 000006
【図６】
0005850762.tif 000007
【図７】
0005850762.tif 000008